(57)【特許請求の範囲】
【請求項１】
図柄表示機構が少なくとも異なる複数の図柄の表示された回転体と回転体を駆動するモータと回転体の回転位置を検出する位置検出機構とにより構成され、この図柄表示機構を前方開放状のケーシングの内部に備えた図柄可変表示装置が前方開放状の遊技機枠体の内部に交換可能に装着された遊技機において、図柄可変表示装置のケーシングの下面に設けられた車輪と、車輪の走行を誘導するために遊技機枠体の棚部上に車輪と同数設けられたガイドと、ガイドの車輪走行面から下方に窪んだ凹状に設けられた車輪位置決定部と、ケーシングの上面に設けられた係合部と、係合部に形成されたねじ挿入孔と、係合部を結合するために遊技機枠体の上壁に設けられた取付部と、取付部に形成されたねじ孔とを備え、図柄可変表示装置の車輪がガイドの車輪走行面に乗せられ、図柄可変表示装置が押されるように前側より後側へ移動させられ、車輪が回転しつつ車輪走行面の上を走行して凹状の車輪位置決定部に取込まれると、図柄可変表示装置における係合部のねじ挿入孔と遊技機枠における取付部のねじ孔との位置が前後方向で対応し、止ねじが図柄可変表示装置における係合部の前側より係合部のねじ挿入孔を経由して取付部のねじ孔に締結されることにより、取付部と係合部とが互いに結合され、図柄可変表示装置が遊技機枠体の内部で所定位置に位置決めされた状態で装着されたことを特徴とする遊技機。
【請求項２】
図柄表示機構が少なくとも異なる複数の図柄の表示された回転体と回転体を駆動するモータと回転体の回転位置を検出する位置検出機構とにより構成され、この図柄表示機構を前方開放状のケーシングの内部に備えた図柄可変表示装置が前方開放状の遊技機枠体の内部に交換可能に装着された遊技機において、図柄可変表示装置のケーシングの下面に設けられた車輪と、車輪の走行を誘導するために遊技機枠体の棚部上に車輪と同数設けられたガイドと、ガイドの車輪走行面から下方に窪んだ凹状に設けられた車輪位置決定部と、ケーシングの上面に設けられた係合部と、係合部に形成された取付孔と、係合部を結合するために遊技機枠体の上壁に設けられた取付部と、取付部に形成された取付孔とを備え、図柄可変表示装置の車輪がガイドの車輪走行面に乗せられ、図柄可変表示装置が押されるように前側より後側へ移動させられ、車輪が回転しつつ車輪走行面の上を走行して凹状の車輪位置決定部に取込まれると、図柄可変表示装置における係合部の取付孔と遊技機枠における取付部の取付孔との位置が前後方向で対応し、クリップが図柄可変表示装置における係合部の前側より係合部の取付孔を経由して取付部の取付孔に結合されることにより、取付部と係合部とが互いに結合され、図柄可変表示装置が遊技機枠体の内部で所定位置に位置決めされた状態で装着されたことを特徴とする遊技機。
【請求項３】
ガイドが互いに平行するように左右に設けられたことを特徴とする請求項１又は請求項２記載の遊技機。
【請求項４】
遊技機枠体の前方には、遊技機枠体の内部に装着された図柄可変表示装置における回転体の前方に配置される透視性を有するパネルが設けられたことを特徴とする請求項１又は請求項２記載の遊技機。
【発明の詳細な説明】
【０００１】
【発明の属する技術分野】
本発明は、パチンコ機やスロットマシン等の図柄可変表示装置を搭載した遊技機であって、特に、図柄可変表示装置を遊技機枠体内に交換可能に装着する構造に関する。
【０００２】
【従来の技術】
パチンコ機やスロットマシン等の遊技機では、始動入賞口への入賞又は遊技者によるスイッチ操作等の所定条件を契機として図柄が可変表示した後に停止し、停止した図柄が設定された所定図柄に揃うことにより、賞球やメダル等の遊技媒体を遊技者に有利な個数払出すことは周知である。このような遊技に使用される図柄可変表示装置としては、液晶やＣＲＴ等の電気的なディスプレイタイプを用いたもの、図柄ベルトや図柄ドラム等の機械的なディスプレイタイプを用いたものが知られている。
【０００３】
【発明が解決しようとする課題】
しかし、前記従来の機械的なディスプレイタイプの図柄可変表示装置は遊技機枠体内に交換可能に装着されるが、ケーシングの内部に収納される内部機構は図柄が表示された回転体、回転体を駆動するモータ、回転体の回転位置を検出する位置検出機構等よりなる重厚長大な構造である。そのため、図柄可変表示装置を交換する場合、多大の労力と時間とが必要となるだけでなく、新たな図柄可変表示装置の遊技機枠体への位置決めも困難であった。
【０００４】
そこで、本発明は、図柄可変表示装置の交換容易化が図れる遊技機を提供するものである。
【０００５】
本発明にあっては、図柄表示機構が少なくとも異なる複数の図柄の表示された回転体と回転体を駆動するモータと回転体の回転位置を検出する位置検出機構とにより構成され、この図柄表示機構を前方開放状のケーシングの内部に備えた図柄可変表示装置が前方開放状の遊技機枠体の内部に交換可能に装着された遊技機において、図柄可変表示装置のケーシングの下面に設けられた車輪と、車輪の走行を誘導するために遊技機枠体の棚部上に車輪と同数設けられたガイドと、ガイドの車輪走行面から下方に窪んだ凹状に設けられた車輪位置決定部と、ケーシングの上面に設けられた係合部と、係合部に形成されたねじ挿入孔と、係合部を結合するために遊技機枠体の上壁に設けられた取付部と、取付部に形成されたねじ孔又は取付孔とを備え、図柄可変表示装置の車輪がガイドの車輪走行面に乗せられ、図柄可変表示装置が押されるように前側より後側へ移動させられ、車輪が回転しつつ車輪走行面の上を走行して凹状の車輪位置決定部に取込まれると、図柄可変表示装置における係合部のねじ挿入孔又は取付孔と遊技機枠における取付部のねじ孔又は取付孔との位置が前後方向で対応し、止ねじ又はクリップが図柄可変表示装置における係合部の前側より係合部のねじ挿入孔又は取付孔を経由して取付部のねじ孔又は取付孔に締結されることにより、取付部と係合部とが互いに結合され、図柄可変表示装置が遊技機枠体の内部で所定位置に位置決めされた状態で装着されたことを特徴としている。よって、本発明によれば、図柄可変表示装置を遊技機枠体に取付ける場合は、図柄可変表示装置が持ち上げられ、車輪が車輪走行面に乗せられた状態において、図柄可変表示装置が遊技機枠体の内部へと移動させられ、車輪が回転しつつ車輪走行面の上を走行して車輪位置決定部に落とし込まれて停止すると、係合部のねじ挿入孔又は取付孔と取付部のねじ孔又は取付孔との位置が前後方向で適切に位置決めされる。その状態において、ねじ又はクリップが係合部のねじ挿入孔又は取付孔を経由して取付部のねじ孔又は取付孔に結合されることによって、ねじ又はクリップが車輪の車輪位置決定部からの跳ね上がりを防止し、図柄可変表示装置が遊技機枠体内部で所定位置に位置決め装着される。又、図柄可変表示装置を遊技機枠体より取外す場合は、ねじ又はクリップが取付部と係合部とから取外され、取付部と係合部との係合が解放された後、図柄可変表示装置が遊技機枠体の外部へと移動させられることによって、車輪が回転しつつ車輪位置決定部から離脱して車輪走行面の上を走行し、図柄可変表示装置が遊技機枠体から取外される。又、本発明にあっては、ガイドが互いに平行するように左右に設けられれば、車輪がガイドの車輪走行面の上を走行する場合、図柄可変表示装置左右に振れることなく移動が安定する。又、本発明にあっては、遊技機枠体の前方には、遊技機枠体の内部に装着された図柄可変表示装置における回転体の前方に配置される透視性を有するパネルが設けられれば、遊技者がパネルの前側からパネルを通して図柄表示機構の可変する図柄を見ることができる。
【０００６】
【発明の実施の形態】
図１〜図３は本発明の第１実施形態であって、図１は遊技機枠体１に装着した図柄可変表示装置１０の正面を示し、図２は遊技機枠体１への取付け途中の図柄可変表示装置１０を示す側面図、図３はスロットマシンの外観を示す。
【０００７】
図１を参照し、前方開放状の遊技機枠体１と図柄可変表示装置１０との構造について説明する。遊技機枠体１の棚部２上には複数のガイド３が互いに平行するように左右に設けられる。ガイド３の上面は平坦な車輪走行面４として形成される。ガイド３には車輪位置決定部５が車輪走行面４から下方に半円形上に窪んだ凹状に形成される。遊技機枠体１の棚部２よりも上方に離隔配置された上壁６には取付部７が棚部２の方向に突出するように設けられる。
【０００８】
図柄可変表示装置１０は前方開放状のケーシング１１の内部に３つのベルト式又はドラム式の図柄表示機構１２を左右に並列した配置に備える。図柄表示機構１２は、数字やアルファベット又はキャラクタ（果物、動植物、人物等を模した絵）等よりなる異なる複数の図柄１３が表示された回転体１４、回転体１４を駆動するモータ１５、回転体１４の回転位置を検出する位置検出機構１６、モータ１５や位置検出機構１６が取付けられた支持部材１７等により構成される。各図柄表示機構１２は遊技機枠体１の内部に取付けられた図外の制御装置により個別に回転及び停止制御される。支持部材１７はケーシング１１の縦方向の骨格も兼ねる壁構造として形成される。
【０００９】
ケーシング１１の下面にはガイド３と同数の車輪１８が車輪脚１９により回転可能に取付けられる。ケーシング１１の上面には係合部２０が上壁６の方向に突出するように設けられる。そして、車輪１８が車輪位置決定部５に取込まれた状態において、固着具としての止ねじ２２が係合部２０より取付部７に締結され、図柄可変表示装置１０が遊技機枠体１の内部に取付けられる。
【００１０】
図２を参照し、遊技機枠体１の内部への図柄可変表示装置１０の取付関係について説明する。取付部７にはねじ孔８が形成され、係合部２０にはねじ挿入孔２１が形成される。そして、遊技機枠体１の前方に配置されたガラス又は合成樹脂よりなる透視性を有するパネル２３が開放され、図柄可変表示装置１０が持ち上げられ、車輪１８が車輪走行面４の前端部に乗せられた状態において、図柄可変表示装置１０が押されるように前側より後側へ移動させられることによって、車輪１８が回転しつつ車輪走行面４の上を走行して車輪位置決定部５に取込まれて停止する。これによって、取付部７の前側面と係合部２０の後側面とが接触し、ねじ孔８とねじ挿入孔２１との位置が対応する。それから、止ねじ２２が前側よりねじ挿入孔２１を経由してねじ孔８に締結されることにより、取付部７と係合部２０とが互いに結合され、図柄可変表示装置１０が遊技機枠体１の内部で所定位置に位置決めされた状態で装着される。この遊技機枠体１の内部に取付けられた図柄可変表示装置１０における回転体１４の前方にはパネル２３に設けられた図柄視認領域２４が配置される。黒色系等のマスク印刷２５がパネル２３の裏側に施される際の印刷抜きにより、図柄視認領域２４はパネル２３に形成される。
【００１１】
前記図柄可変表示装置１０を遊技機枠体１から取外すには、パネル２３が開放された状態において、止ねじ２２が前側から操作されて係合部２０と取付部７とから取外される。その後、図柄可変表示装置１０が引出されるように後側から前側へ人為的に移動させられることによって、車輪１８が回転しつつ車輪位置決定部５から脱出して車輪走行面４の上を走行し、図柄可変表示装置１０が遊技機枠体１から取外される。
【００１２】
図３を参照し、前記図柄可変表示装置１０をスロットマシン５０に用いた場合について説明する。スロットマシン５０は、外枠５１、外枠５１に片開き自在に取り付けられた中枠８０、外枠５１に片開き自在に取り付けられた前枠５２、前枠５２に取り付けられたパネル５３、パネル５３に形成された前記図柄視認領域２４に相当する図柄視認領域５４の裏側に配置された前記図柄可変表示装置１０の３個の図柄表示機構１２に相当する図柄表示機構５６、パネル５３よりも下側に設けられた上皿装置５７、上皿装置５７よりも下側に配置された下皿装置７０を有する。中枠８０は前記遊技機枠体１に相当するものであって、外枠５１の前側に配置される。前枠５２は中枠８０の前側に配置され、図柄表示機構５６は中枠８０の内部に装着される。パネル５３の図柄視認領域５４には複数の当たりライン５５が表示される。上皿装置５７には、レバー式の遊技開始スイッチ装置５８、複数の図柄停止スイッチ装置５９、残球数表示部６０、球投入スイッチ装置６１、球抜スイッチ装置６２、球貸スイッチ装置６３、カード返却スイッチ装置６４、カード残高度数表示部６５、球投入口６６、上皿球受入口６７、ダミー釦６８が設けられる。下皿装置７０には、灰皿７１、下皿球受入口７２、球抜レバー７３が設けられる。図柄停止スイッチ装置５９は図柄表示機構５６の３列の図柄と対応している。
【００１３】
球が上皿装置５７に入れられた状態において、遊技者が球投入スイッチ装置６１を操作すると、遊技開始に必要な個数の球がスロットマシン５０の内部に投入される。そして、遊技者が遊技開始スイッチ装置５８を操作すると、遊技開始スイッチ装置５８からの入力信号によって図外の制御装置が図柄表示機構５６を駆動制御する。これにより、３列の図柄表示機構５６に描かれた図柄１３（図１参照）が上から下へ可変する。この状態で、遊技者は、図柄視認領域５４を介して図柄表示機構５６の可変する図柄１３を見ることができる。そして、遊技者が、例えば、左側の図柄停止スイッチ装置５９を押すと左側の図柄表示機構５６の図柄１３が停止し、真中の図柄停止スイッチ装置５９を押すと真中の図柄表示機構５６の図柄１３が停止し、右側の図柄停止スイッチ装置５９を押すと右側の図柄表示機構５６の図柄１３が停止する。つまり、遊技者が図柄停止スイッチ装置５９を押すと、図柄停止スイッチ装置５９からの入力信号によって図柄表示機構５６の回転が停止する。遊技者が図柄停止スイッチ装置５９を押す順序はどれを先に押しても良く、押された図柄停止スイッチ装置５９に対応する図柄表示機構５６の図柄１３が停止する。これらの停止した図柄が予め設定された小当たり、中当たり、大当たり等の組合せで揃うと、それぞれの当たりに応じた賞球がスロットマシン５０より上皿球受入口６７を経由して上皿装置５７に払い出される。これ以上の遊技動作は本発明の趣旨より逸脱するので、説明を省略する。
【００１４】
図４は本発明の第２実施形態の固着具としてのスナップリング機構９０を示す。スナップリング機構９０は取付部７又は係合部２０の何れか一方に固定されたリング操作部９１と他方に固定された掛止部９２とを備え、取付部７と係合部２０とが互いに接触した状態において、リング操作部９１が軸９３を中心として人為的に実線示位置から仮想線示位置へと回転操作されることにより、リング９４が矢印Ｘ１方向に引寄せられて掛止部９２で受止められてロック状態となり、図２の図柄可変表示装置１０が遊技機枠体１に取付けられる。ロック状態において、リング操作部９１が軸９３を中心として人為的に仮想線示位置から実線示位置へと回転操作されることにより、リング９４が矢印Ｘ１とは逆向き方向に離されて掛止部９２より外れてアンロック状態となり、図柄可変表示装置１０が遊技機枠体１より取外せる。第２実施形態の場合、取付部７及び係合部２０から図２のねじ孔８及びねじ挿入孔２１を省略できる。
【００１５】
図５は本発明の第３実施形態の固着具としての２股クリップ１００を示す。２股クリップ１００取付部７と係合部２０とが互いに接触した状態において、２股クリップ１００が係合部２０の前側よりねじ挿入孔２１に相当する取付孔１０１を経由して取付部７のねじ孔８に相当する取付孔１０２に挿入され、２股クリップ１００の先端フック１０３が取付孔１０２より裏側に突出して取付孔１０２周りの取付部７の後面に係合し、２股クリップ１００の後端突起１０４が取付孔１０１周りの係合部２０の前面に接触することにより、取付部７と係合部２０とが２股クリップ１００で互いに結合され、図２の図柄可変表示装置１０が遊技機枠体１に取付けられる。この状態において、２股クリップ１００の先端部が人為的に内側に押し縮められ、２股クリップ１００が前側に引抜かれることにより取付部７及び係合部２０から取外され、図柄可変表示装置１０が遊技機枠体１より取外せる。第３実施形態の場合、係合部２０からねじ切り加工を省略できる。
【００１６】
遊技機１は、スロットマシン以外にパチンコ機等にも使用できることは勿論である。
【図面の簡単な説明】
【図１】本発明の第１実施形態を示す正面図。
【図２】同第１実施形態を示す側面図。
【図３】同第１実施形態のスロットマシンを示す斜視図。
【図４】本発明の第２実施形態を示す側面図。
【図５】本発明の第３実施形態を示す斜視図。
【符号の説明】
１  遊技機枠体
３  ガイド
４  車輪走行面
５  車輪位置決定部
７  取付部
１０  図柄可変表示装置
１１  ケーシング
１２  図柄表示機構
１８  車輪
２０  係合部
２２  止ねじ（固着具）
９０  スナップリング機構（固着具）
１００  ２股クリップ（固着具）
【図１】
0003580755.tif 000002
【図２】
0003580755.tif 000003
【図３】
0003580755.tif 000004
【図４】
0003580755.tif 000005
【図５】
0003580755.tif 000006